(57)【要約】【課題】  重畳組合せ可能な整髪用鋏の提供。【解決手段】  整髪用鋏の第１カッタ及び又は第２カッタの前側面と後側面に、それぞれ嵌合座と嵌合ブロックが結合され、嵌合座の開放端面に開放溝が設けられ、嵌合ブロックの開放端面より二つの嵌合片が突出し、二つの嵌合片が弾性内縮させられて開放溝内に挿入されて嵌合ブロックが嵌合座に挿入され、二つの嵌合片が回復して開放溝内壁に圧接し、これにより複数の整髪用鋏が相互に重畳するよう組合せられ、嵌合ブロックがそれと同じ高さ或いは異なる高さの嵌合座に嵌入させられることで、複数の整髪用鋏が平行並列或いは異なる高さに並列され、複数の整髪用鋏の重畳組合せが更に簡易で且つ極めて強固なものとされる。【選択図】        図１
2006166993.tif 000002
【特許請求の範囲】
【請求項１】
第１カッタと第２カッタが枢軸で相互に重畳するように枢設されてなる重畳組合せ可能な整髪用鋏において、
上述の第１カッタと第２カッタのうち少なくとも一方のカッタの前側面、後側面にそれぞれ嵌合座と嵌合ブロックが結合され、嵌合座の開放端面に開放溝が開設され、嵌合ブロックの開放端面より二つの嵌合片が突出し、二つの嵌合片が内縮させられてから回復して該開放溝に挿入されて組み合わされ、二つの嵌合片が開放溝内壁に圧接し、これにより複数の整髪用鋏が並列に組み合わされることを特徴とする、重畳組合せ可能な整髪用鋏。
【請求項２】
請求項１記載の重畳組合せ可能な整髪用鋏において、嵌合座の外側面に開放溝と連通する開孔が設けられ、嵌合ブロックのそのうち一つの嵌合片に該開孔に対応する凸塊が凸設され、該凸塊が該開孔に対応し嵌合されることを特徴とする、重畳組合せ可能な整髪用鋏。
【請求項３】
請求項１記載の重畳組合せ可能な整髪用鋏において、二つの嵌合片の開放端の外側面に傾斜部が形成されたことを特徴とする、重畳組合せ可能な整髪用鋏。
【請求項４】
第１カッタと第２カッタが枢軸で相互に重畳するように枢設されてなる重畳組合せ可能な整髪用鋏において、
上述の第１カッタと第２カッタのうち少なくとも一方のカッタの前側面、後側面にそれぞれ嵌合座と嵌合ブロックが結合され、嵌合座の側辺に二つの挟持部があり、二つの挟持部の間に開口が形成され、嵌合ブロックが該開口に挿入され、二つの挟持部が弾性拡張して嵌合ブロックを挟持し、これにより複数の整髪用鋏が並列に組み合わされることを特徴とする、重畳組合せ可能な整髪用鋏。
【請求項５】
請求項４記載の重畳組合せ可能な整髪用鋏において、嵌合座の上端と下端にそれぞれ折り曲げられたストッパ片が形成され、二つのストッパ片が開口の二側端に位置することを特徴とする、重畳組合せ可能な整髪用鋏。
【請求項６】
請求項４記載の重畳組合せ可能な整髪用鋏において、嵌合ブロックの二側辺に相互に対応する凸部が設けられ、二つの凸部が二つの挟持部の内側壁に圧接することを特徴とする、重畳組合せ可能な整髪用鋏。
【請求項７】
請求項４記載の重畳組合せ可能な整髪用鋏において、嵌合ブロックの高さが開口の高さより小さいことを特徴とする、重畳組合せ可能な整髪用鋏。
【発明の詳細な説明】
【技術分野】
【０００１】
本発明は重畳組合せ可能な整髪用鋏に係り、特に、重畳組合せ後に極めて強固である整髪用鋏に関する。
【背景技術】
【０００２】
本発明者はすでに、図２４に示されるような、複数の整髪用鋏を平行に組み合わせて層状に並列させてトリミング、すき、シャギー等の技術を十分発揮させられる整髪用鋏を提供している。しかしそれは以下のような使用上の欠点があった。整髪用鋏１の第１カッタ１０と第２カッタ２０の二側面に係止ボタン１５、２５と嵌め輪１３、２３が設けられ、係止ボタン１５、２５が対応する嵌め輪１３、２３に嵌合されることで、二つの整髪用鋏１が並列に組み合わされる。係止ボタン１５、２５と嵌め輪１３、２３は嵌合式に組み合わされるため、係止ボタン１５、２５が嵌め輪１３、２３より容易に離脱しやすく、二つの整髪用鋏１の重畳組合せの位置決め効果が悪く、片手で複数の整髪用鋏１を握持して整髪操作を行う時、困難と障害が発生し、更に二つの整髪用鋏１間の間隙が同じで、異なる顔形、髪量の顧客に合わせて調整できず、髪型のレイヤーとボリュームが固定されて変化がなく、最良のレイヤーの美観とボリューム感を表現させることができない。
【発明の開示】
【発明が解決しようとする課題】
【０００３】
本発明の主要な目的は、一種の重畳組合せ可能な整髪用鋏を提供することにあり、それは、整髪用鋏の第１カッタ及び又は第２カッタの前側面と後側面に、それぞれ嵌合座と嵌合ブロックが結合され、嵌合座の開放端面に開放溝が設けられ、嵌合ブロックの開放端面より二つの嵌合片が突出し、二つの嵌合片が弾性内縮させられて開放溝内に挿入されて嵌合ブロックが嵌合座に挿入され、二つの嵌合片が回復して開放溝内壁に圧接し、これにより複数の整髪用鋏が相互に重畳するよう組合せられ、嵌合ブロックがそれと同じ高さ或いは異なる高さの嵌合座に嵌入させられることで、複数の整髪用鋏が平行並列或いは異なる高さに並列され、複数の整髪用鋏の重畳組合せが更に簡易で且つ極めて強固なものとされる。
【０００４】
本発明のもう一つの目的は、一種の重畳組合せ可能な整髪用鋏を提供することにあり、それは、整髪用鋏の第１カッタ及び又は第２カッタの前側面と後側面にそれぞれ嵌合座と嵌合ブロックが結合され、嵌合座の側辺に二つの夾持部が設けられ、二つの夾持部の間に開口が形成され、嵌合ブロックが開口に挿入されて、二つの夾持部が弾性張開させられて強力に嵌合ブロックを夾持し、且つ嵌合ブロックの高さが開口高度より小さいものとされ、嵌合ブロックが移動調整可能とされ、これにより複数の整髪用鋏を同じ或いは異なる高さに並列に組み合わせる操作が更に簡単に行え且つ強固に組合せられるものとされる。
【課題を解決するための手段】
【０００５】
請求項１の発明は、第１カッタと第２カッタが枢軸で相互に重畳するように枢設されてなる重畳組合せ可能な整髪用鋏において、
上述の第１カッタと第２カッタのうち少なくとも一方のカッタの前側面、後側面にそれぞれ嵌合座と嵌合ブロックが結合され、嵌合座の開放端面に開放溝が開設され、嵌合ブロックの開放端面より二つの嵌合片が突出し、二つの嵌合片が内縮させられてから回復して該開放溝に挿入されて組み合わされ、二つの嵌合片が開放溝内壁に圧接し、これにより複数の整髪用鋏が並列に組み合わされることを特徴とする、重畳組合せ可能な整髪用鋏としている。
請求項２の発明は、請求項１記載の重畳組合せ可能な整髪用鋏において、嵌合座の外側面に開放溝と連通する開孔が設けられ、嵌合ブロックのそのうち一つの嵌合片に該開孔に対応する凸塊が凸設され、該凸塊が該開孔に対応し嵌合されることを特徴とする、重畳組合せ可能な整髪用鋏としている。
請求項３の発明は、請求項１記載の重畳組合せ可能な整髪用鋏において、二つの嵌合片の開放端の外側面に傾斜部が形成されたことを特徴とする、重畳組合せ可能な整髪用鋏としている。
請求項４の発明は、第１カッタと第２カッタが枢軸で相互に重畳するように枢設されてなる重畳組合せ可能な整髪用鋏において、
上述の第１カッタと第２カッタのうち少なくとも一方のカッタの前側面、後側面にそれぞれ嵌合座と嵌合ブロックが結合され、嵌合座の側辺に二つの挟持部があり、二つの挟持部の間に開口が形成され、嵌合ブロックが該開口に挿入され、二つの挟持部が弾性拡張して嵌合ブロックを挟持し、これにより複数の整髪用鋏が並列に組み合わされることを特徴とする、重畳組合せ可能な整髪用鋏としている。
請求項５の発明は、請求項４記載の重畳組合せ可能な整髪用鋏において、嵌合座の上端と下端にそれぞれ折り曲げられたストッパ片が形成され、二つのストッパ片が開口の二側端に位置することを特徴とする、重畳組合せ可能な整髪用鋏としている。
請求項６の発明は、請求項４記載の重畳組合せ可能な整髪用鋏において、嵌合ブロックの二側辺に相互に対応する凸部が設けられ、二つの凸部が二つの挟持部の内側壁に圧接することを特徴とする、重畳組合せ可能な整髪用鋏としている。
請求項７の発明は、請求項４記載の重畳組合せ可能な整髪用鋏において、嵌合ブロックの高さが開口の高さより小さいことを特徴とする、重畳組合せ可能な整髪用鋏としている。
【発明の効果】
【０００６】
本発明の重畳組合せ可能な整髪用鋏は、整髪用鋏の第１カッタ及び又は第２カッタの前側面と後側面に、それぞれ嵌合座と嵌合ブロックが結合され、嵌合座の開放端面に開放溝が設けられ、嵌合ブロックの開放端面より二つの嵌合片が突出し、二つの嵌合片が弾性内縮させられて開放溝内に挿入されて嵌合ブロックが嵌合座に挿入され、二つの嵌合片が回復して開放溝内壁に圧接し、これにより複数の整髪用鋏が相互に重畳するよう組合せられ、嵌合ブロックがそれと同じ高さ或いは異なる高さの嵌合座に嵌入させられることで、複数の整髪用鋏が平行並列或いは異なる高さに並列され、複数の整髪用鋏の重畳組合せが更に簡易で且つ極めて強固なものとされる。
【０００７】
本発明の重畳組合せ可能な整髪用鋏は、整髪用鋏の第１カッタ及び又は第２カッタの前側面と後側面にそれぞれ嵌合座と嵌合ブロックが結合され、嵌合座の側辺に二つの夾持部が設けられ、二つの夾持部の間に開口が形成され、嵌合ブロックが開口に挿入されて、二つの夾持部が弾性張開させられて強力に嵌合ブロックを夾持し、且つ嵌合ブロックの高さが開口高度より小さいものとされ、嵌合ブロックが移動調整可能とされ、これにより複数の整髪用鋏を同じ或いは異なる高さに並列に組み合わせる操作が更に簡単に行え且つ強固に組合せられるものとされる。
【発明を実施するための最良の形態】
【０００８】
図１、２に示されるように、本発明の整髪用鋏２は、枢軸５０で枢接重畳された第１カッタ３０と第２カッタ４０を具え、第１カッタ３０及び又は第２カッタ４０のハンドル部３１、４１の前側面と後側面にそれぞれ少なくとも一つの第１ネジ孔３２と第２ネジ孔４２が設けられ、すなわち、第１カッタ３０の前側面と後側面にそれぞれ少なくとも一つの第１ネジ孔３２が設けられ、第２カッタ４０の前側面と後側面にそれぞれ少なくとも一つの第２ネジ孔４２が設けられ、第１カッタ３０及び又は第２カッタ４０の前側面と後側面の第１ネジ孔３２と第２ネジ孔４２がネジの嵌め合い方式で嵌合座６０と嵌合ブロック７０に接合され、これにより第１カッタ３０及び又は第２カッタ４０の前側面に嵌合座６０が結合され、第１カッタ３０及び又は第２カッタ４０の後側面に嵌合ブロック７０が結合される。嵌合座６０の開放端面に開放溝６１が設けられ、外側面に開放溝６１と連通する開孔６２が設けられ、嵌合ブロック７０の開放端面より二つの嵌合片７１が突出し、二つの嵌合片７１の開放端の外側面にそれぞれ傾斜部７２が設けられ、開孔６２に対応するそのうち一つの嵌合片７１の外側面に凸塊７３が凸設されている。上述の嵌合座６０と嵌合ブロック７０は第１カッタ３０及び又は第２カッタ４０の前側面と後側面に接続され、並びにネジの嵌め合いによる接合方式に限定されず、嵌合、接着、半田付け等その他の固着方式により達成可能である。
【０００９】
重畳組合せ時に、複数の整髪用鋏２を水平に揃えて当接させ、一つの整髪用鋏２の第１カッタ３０及び又は第２カッタ４０の前側面に設けられた嵌合座６０と、隣接する整髪用鋏２の第１カッタ３０及び又は第２カッタ４０の対向する後側面に設けられた等しい高さの嵌合ブロック７０を嵌合させる。このとき、二つの嵌合片７１は傾斜部７２により順調に開放溝６１に挿入され、二つの嵌合片７１が並びに弾性内縮し（図３）、凸塊７３が開孔６２位置に対応した時に、二つの嵌合片７１が弾性回復し、並びに開放溝６１内壁に圧接し、同時に凸塊７３が開孔６２に嵌入し（図４）、これにより嵌合座６０が嵌合ブロック７０と嵌合し組み合わされ、この嵌合方式により、複数の整髪用鋏２が水平に並列に組み合わされる（図５）。
【００１０】
本発明の整髪用鋏２は高さに違いを設けて並列に重畳組合せ可能で、嵌合座６０を比較的高い或いは比較的低い位置の別の第１ネジ孔３２及び又は第２ネジ孔４２に螺合させ（図６）、各整髪用鋏２の嵌合ブロック７０を異なる高さの嵌合座６０内に嵌合させて、複数の整髪用鋏２を高さに落差を設けて配列する。
【００１１】
以上から分かるように、本発明は複数の整髪用鋏２を平行に並列に組合せることができ、また、高さに落差を設けて並列に組み合わせることができ、髪形設計及びトリミングやカットの実際の必要に応じて弾性的に応用でき、髪形設計のトリミング、スキ、レイヤー等の技術を十分に発揮させることができる。
【００１２】
本発明の別の実施例では、整髪用鋏２は枢軸５０で枢設重畳された第１カッタ３０と第２カッタ４０で構成され、図２の嵌合座６０及び嵌合ブロック７０が円筒及び円柱の形態に改変され、第１カッタ３０及び又は第２カッタ４０の第１ネジ孔３２、第２ネジ孔４２に、それぞれ円筒状の嵌合座６０’と円柱状の嵌合ブロック７０’を螺合可能である（図７）。嵌合座６０’の底面には開放溝６１’が開設され、外側面に開放溝６１’と連通する開孔６２’が設けられ、嵌合ブロック７０’の上端面より二つの嵌合片７１’が延伸され、二つの嵌合片７１’の上端外側面にそれぞれ傾斜部７２’が設けられている。そのうち一つの嵌合片７１’の外側面に開孔６２’に対応する凸塊７３’が凸設されている（図８）。
【００１３】
組合せ時には、１本の整髪用鋏２を下から上に整髪用鋏２に当接させ、嵌合ブロック７０’を等高の嵌合座６０’の開放溝６１’に挿入し、傾斜部７２’を利用して、二つの嵌合片７１’を順調に開放溝６１’に挿入し、二つの嵌合片７１’を弾性内縮させて更に回復させて開放溝６１’内壁を圧迫させ、同時に凸塊７３’を開孔６２’に嵌合させ（図９、１０）、同様の様式で、複数の整髪用鋏２を平らに揃えて重畳するよう組み合わせる（図１１）。また、嵌合座６０’を比較的高い或いは比較的低い第１ネジ孔３２及び又は第２ネジ孔４２に螺合させることで、各整髪用鋏２を接続すれば、複数の整髪用鋏２を高さに落差を設けて並列に組み合わせることができる（図１２）。
【００１４】
前述の図２の嵌合ブロック７０は異なる長さとなし得て、異なる長さの嵌合ブロック７０に交換可能で、複数の整髪用鋏２間の連結間隙Ａ、Ａ’に不定量の調整を行なうことができ（図１３）、異なる顔形、髪量の顧客の整髪を行なう時、最も良好な間隙量に調整でき、レイヤー変化量及びボリューム感を有する髪形にカットできる。本発明の別の実施例（図８）では、同様に嵌合座６０’の異なる外径サイズ変化により、組合せ後の整髪用鋏２相互間の間隙量を調整できる。
【００１５】
本発明のまた別の実施例では、図１４に示されるように、整髪用鋏２は同様に枢軸５０で重畳するよう相互に枢設された第１カッタ３０及び第２カッタ４０で構成されている。第１カッタ３０及び又は第２カッタ４０の前側面、後側面の第１ネジ孔３２、第２ネジ孔４２にそれぞれ嵌合座６０と嵌合ブロック７０が嵌合され、上述の嵌合座６０及び嵌合ブロック７０はそれぞれ第１カッタ３０及び又は第２カッタ４０の前側面、後側面に接続され、それは並びにネジ山による螺設方式に限定されず、嵌合、接着、半田付け等その他の固定方式で接続される。嵌合座６０は中空状の円柱、三角形柱体、四角形柱体、多角形柱体等の形状とされ、本実施例では嵌合座６０が中空状の三角形柱体の形状とされ、嵌合座６０の側辺に開口６４が設けられ、開口６４の二側辺がそれぞれ折り曲げられて挟持部６３が形成され、嵌合座６０の上端、下端よりストッパ片６５が折り曲げ状に延伸され（図１５）、二つのストッパ片６５が開口６４の二側端辺に位置し、嵌合ブロック７０の高さが開口６４の高さより小さいものとされている。
【００１６】
組合せ時には、複数の整髪用鋏２が相互に接合され、嵌合ブロック７０が対応する開口６４に挿入され、並びに二つの挟持部６３が弾性拡張し（図１６、１７）、二つの弾性を有する挟持部６３により強力に嵌合ブロック７０が挟持され、嵌合ブロック７０と嵌合座６０の結合が強固とされ、複数の整髪用鋏２が平らに揃えられて重畳するよう組み合わされる。また、嵌合ブロック７０を嵌合座６０の開口６４内で上下にスライド調整し、並びに二つのストッパ片６５で嵌合ブロック７０の嵌合座６０からの脱出を防止するだけで、整髪用鋏２を突き合わせて接合させられ、即ち複数の整髪用鋏２を高さを違えて並列に組み合わせることができる（図１９）。該嵌合ブロック７０の二側辺には相互に対応する凸部７４（図２０）が設けられ、嵌合ブロック７０が嵌合座６０に挿入される時、二つの凸部７４が二つの挟持部６３を超過して支持し、二つの挟持部６３の内側壁を支持し（図２１）、これにより、嵌合座６０と嵌合ブロック７０の結合が更に安定する。
【００１７】
このほか、該嵌合ブロック７０は異なる長さとされ得て、異なる長さの嵌合ブロック７０に交換することで、複数の整髪用鋏２の間の連結間隙Ａ、Ａ’に不定量の調整を行なうことができ（図２２）、異なる顔形、髪量の整髪顧客に整髪する時、最良の間隙量に調整できる。
【００１８】
前述の図７、８に提示された実施例によると、円筒状の嵌合座６０’と円柱状の嵌合ブロック７０’の部分構造は相互に交換可能で、同様に嵌合座６０’と嵌合ブロック７０’を強固に結合させられる。更に詳しくは、嵌合座６０’の上端面が開放状態とされて開放溝６１’と連通し（図２３）、並びに嵌合ブロック７０’の二つの嵌合片７１’の間に切欠きが嵌合座６０’に設置され、嵌合座６０’の切欠き６６’は開放溝６１’と貫通し、嵌合ブロック７０’に嵌合片７１’が未設置とされて実心状態とされ、嵌合ブロック７０’が下から上に開放溝６１’に挿入され、切欠き６６’の幅が拡大されて嵌合座６０’が弾性を具備するものとされ、弾性を具備する嵌合座６０’が強力に嵌合ブロック７０’を挟持し、且つ凸塊７３’が開孔６２’に嵌合され、嵌合座６０’と嵌合ブロック７０’の結合が強化される。上述の図２３と図１５の両者の組合せ構造は均等であると見なし得る。
【００１９】
ゆえに、本発明は以上の構造組成により、周知の技術と比較すると確実に以下の進歩性を具えている。
１．二つの嵌合片７１、７１’を利用して強力に開放溝６１、６１’内壁を圧迫し、更に凸塊７３、７３’が開孔６２、６２’を係止し、これにより複数の整髪用鋏２が重畳するように組み合わされて最良の安定性を具備するものとされ、片手で同時に複数の整髪用鋏２を握持して整髪する時、握持の強固性及び簡易性を有する。
２．異なる長さの嵌合ブロック７０（或いは嵌合座６０’の外径）の調整により、複数の整髪用鋏２間の連結間隙Ａ、Ａ’を改変でき、これにより複数の整髪用鋏２の相互間の最適な重畳間隙に調整でき、整髪する髪形に多様な変化量を現出させて更に活発で、美しいものとなしうる。
３．嵌合ブロック７０が嵌合座６０の開口６４で移動調整された後、嵌合ブロック７０が更に二つの挟持部６３で強固に挟持され、複数の整髪用鋏２を水平或いは高さを違えて重畳するよう組み合わせる操作が簡単で且つ強固に組み合わせることができ、且つ有効に片手で同時に複数の整髪用鋏２を握持する時の安定度を増すことができる。
【００２０】
以上の説明及び図面に記載された本発明の実施例は本発明の実施範囲を限定するものではなく、本発明に基づきなしうる細部の修飾或いは改変は、いずれも本発明の請求範囲に属するものとする。
【図面の簡単な説明】
【００２１】
【図１】本発明の立体分解図である。
【図２】本発明の嵌合座と嵌合ブロックの立体分解図である。
【図３】本発明の嵌合座と嵌合ブロックの組合せ断面動作図である。
【図４】本発明の嵌合座と嵌合ブロックの組合せ断面図である。
【図５】本発明の整髪用鋏を平行に組み合わせた断面図である。
【図６】本発明の整髪用鋏を高さを違えて並列に組み合わせた断面図である。
【図７】本発明の別の実施例の立体分解図である。
【図８】本発明の別の実施例の嵌合座と嵌合ブロックの立体分解図である。
【図９】本発明の別の実施例の嵌合座と嵌合ブロックの組合せ断面動作図である。
【図１０】本発明の別の実施例の嵌合座と嵌合ブロックの組合せ断面図である。
【図１１】本発明の別の実施例の整髪用鋏を平行に組み合わせた断面図である。
【図１２】本発明の別の実施例の整髪用鋏を高さを違えて並列に組み合わせた断面図である。
【図１３】本発明の複数の整髪用鋏の重畳組合せ後の平面図であり、整髪用鋏相互間の異なる間隙を示す。
【図１４】本発明の更に別の実施例の立体分解図である。
【図１５】本発明の更に別の実施例の嵌合座と嵌合ブロックの立体分解図である。
【図１６】本発明の更に別の実施例の嵌合座と嵌合ブロックの組合せ断面動作図である。
【図１７】本発明の更に別の実施例の嵌合座と嵌合ブロックの組合せ断面図である。
【図１８】本発明の更に別の実施例の整髪用鋏を平行に組み合わせた断面図である。
【図１９】本発明の更に別の実施例の整髪用鋏を高さを違えて並列に組み合わせた断面図である。
【図２０】本発明の更に別の実施例の別形式の嵌合ブロックと嵌合座の立体分解図である。
【図２１】本発明の更に別の実施例の別形式の嵌合ブロックと嵌合座の組合せ断面図である。
【図２２】本発明の更に別の実施例の複数の整髪用鋏の重畳組合せの平面図であり、整髪用鋏相互間は異なる間隙を有している。
【図２３】本発明の図１５の均等物の立体分解図である。
【図２４】周知の整髪用鋏の立体分解図である。
【符号の説明】
【００２２】
２  整髪用鋏        ３０  第１カッタ            ３１、４１  ハンドル部
３２  第１ネジ孔    ４０  第２カッタ            ４２  第２ネジ孔
５０  枢軸          ６０、６０’  嵌合座        ６１、６１’  開放溝
６２、６２’  開孔  ６３  挟持部                ６４  開口
６５  ストッパ片    ６６’  切欠き              ７０、７０’  嵌合ブロック
７１、７１’  嵌合片  ７２、７２’  傾斜部      ７３、７３’  凸塊
７４  凸部            Ａ、Ａ’  間隙
１  整髪用鋏          １０  第１カッタ          １３、２３  嵌め輪
１５、２５  係止ボタン    ２０  第２カッタ
【図１】
2006166993.tif 000003
【図２】
2006166993.tif 000004
【図３】
2006166993.tif 000005
【図４】
2006166993.tif 000006
【図５】
2006166993.tif 000007
【図６】
2006166993.tif 000008
【図７】
2006166993.tif 000009
【図８】
2006166993.tif 000010
【図９】
2006166993.tif 000011
【図１０】
2006166993.tif 000012
【図１１】
2006166993.tif 000013
【図１２】
2006166993.tif 000014
【図１３】
2006166993.tif 000015
【図１４】
2006166993.tif 000016
【図１５】
2006166993.tif 000017
【図１６】
2006166993.tif 000018
【図１７】
2006166993.tif 000019
【図１８】
2006166993.tif 000020
【図１９】
2006166993.tif 000021
【図２０】
2006166993.tif 000022
【図２１】
2006166993.tif 000023
【図２２】
2006166993.tif 000024
【図２３】
2006166993.tif 000025
【図２４】
2006166993.tif 000026